(57)【要約】【課題】小型のプラスチック部品のリサイクルの促進を図ることができるプラスチック部品の材質表示方法を提供する。【解決手段】本発明は、１００ｇ未満のプラスチック部品の材質表示方法であって、前記プラスチック部品の色調により前記プラスチック部品の材質を表示することを特徴とし、特に上記プラスチック部品は、１ｇ以下であることが好ましい。また、本発明は、上記プラスチック部品の色調による材質表示情報を、取り扱い説明書又はインターネットの情報配信媒体等の情報媒体によって伝達することが好ましい。【選択図】図１
2010036460.tif 000002
【特許請求の範囲】
【請求項１】
１００ｇ未満のプラスチック部品の材質表示方法であって、前記プラスチック部品の色調により前記プラスチック部品の材質を表示することを特徴とするプラスチック部品の材質表示方法。
【請求項２】
前記プラスチック部品は、２０ｇ以下である請求項１に記載のプラスチック部品の材質表示方法。
【請求項３】
前記プラスチック部品は、１ｇ以下である請求項１に記載のプラスチック部品の材質表示方法。
【請求項４】
前記プラスチック部品は、テープカートリッジの部品である請求項１〜３のいずれかに記載のプラスチック部品の材質表示方法。
【請求項５】
前記プラスチック部品の色調による材質表示情報を情報媒体によって伝達する請求項１〜４のいずれかに記載のプラスチック部品の材質表示方法。
【請求項６】
前記情報媒体は、取り扱い説明書又はインターネットの情報配信媒体である請求項５に記載のプラスチック部品の材質表示方法。
【請求項７】
前記情報媒体は、前記プラスチック部品から構成される完成品の分解図を表示する請求項５又は６に記載のプラスチック部品の材質表示方法。
【請求項８】
１００ｇ未満のプラスチック部品を含むテープカートリッジであって、
前記プラスチック部品は、その色調によりその材質を表示していることを特徴とするテープカートリッジ。
【請求項９】
前記プラスチック部品は、２０ｇ以下である請求項８に記載のテープカートリッジ。
【請求項１０】
前記プラスチック部品は、１ｇ以下である請求項８に記載のテープカートリッジ。
【発明の詳細な説明】
【技術分野】
【０００１】
本発明は、熱硬化性樹脂又は熱可塑性樹脂からなるプラスチック部品の材質表示方法に関し、特に１００ｇ未満の小型のプラスチック部品の材質表示方法及びその方法を用いたテープカートリッジに関する。
【背景技術】
【０００２】
近年の地球環境保護問題等の重要性に鑑み、産業廃棄物の削減のために各種リサイクル法が制定され、産業界及び消費者を含めた国民全体でリサイクル問題に取り組む必要性が増大している。その中でプラスチック製品のリサイクルは、廃棄時の焼却処理による二酸化炭素排出による地球温暖化の防止の観点から急務である。
【０００３】
特に家電製品は、種々の材質からなるプラスチック部品から構成されており、家電製品のリサイクルには、それを構成するプラスチック部品の分別回収が必須である。このため従来は、プラスチック部品の表面に材質表示マークを、エジェクターピンによる刻印又は金型彫刻により表示していた。これにより、家電製品の解体及びプラスチック部品の分別の際に適正な判断・処理を行うことができる。これに関連して、ＪＩＳ、ＩＳＯにおいては、プラスチック部品の材質表示のための記号及び略語が規定されている（非特許文献１参照。）。
【０００４】
しかし、ＪＩＳ、ＩＳＯにおける材質表示は、１００ｇ以上のプラスチック部品を対象としており、１００ｇ未満の部品においては義務的なものにはなっていない（非特許文献２参照。）。このため従来、１００ｇ未満の小型のプラスチック部品においては、材質表示のための記号等の設置スペースの確保が困難であり、また記号等を表示しても認識が困難であり、さらに記号等を表示することにより部品機能の低下等の問題があることから、材質表示がほとんど行われていないのが実情であり、小型のプラスチック部品のリサイクルが困難な状況となっている。
【非特許文献１】ＪＩＳ  Ｋ  ６８９９
【非特許文献２】家電製品  製品アセスメントマニュアル（第４版概要版）
【発明の開示】
【発明が解決しようとする課題】
【０００５】
本発明は上記従来の問題を解決するもので、小型のプラスチック部品の材質表示を色調により行い、これによりプラスチック部品のリサイクルの促進を図るものである。
【課題を解決するための手段】
【０００６】
本発明のプラスチック部品の材質表示方法は、１００ｇ未満のプラスチック部品の材質表示方法であって、前記プラスチック部品の色調により前記プラスチック部品の材質を表示することを特徴とする。
【０００７】
また、本発明のテープカートリッジは、１００ｇ未満のプラスチック部品を含むテープカートリッジであって、前記プラスチック部品は、その色調によりその材質を表示していることを特徴とする。
【発明の効果】
【０００８】
本発明により、１００ｇ未満のプラスチック部品の材質表示が可能となり、小型のプラスチック部品のリサイクルの促進を図ることができる。
【発明を実施するための最良の形態】
【０００９】
本発明のプラスチック部品の材質表示方法は、１００ｇ未満のプラスチック部品の材質表示方法であって、上記プラスチック部品の色調により上記プラスチック部品の材質を表示することを特徴とする。これにより、１００ｇ未満の小型のプラスチック部品に合理的に材質表示を行うことができる。より具体的には、同一の材質からなるプラスチック部品を同一の色調となるように形成することにより、小型のプラスチック部品に合理的に材質表示を行うことができ、小型のプラスチック部品を材質毎に効率的に分別できる。
【００１０】
上記プラスチック部品は、２０ｇ以下であることが好ましい。これにより、材質表示のための記号等を表示しても認識が困難であり、さらに当該記号等を表示することにより部品機能の低下等の問題がある２０ｇ以下のプラスチック部品に合理的に材質表示を行うことができる。
【００１１】
また、上記プラスチック部品は、１ｇ以下であることが特に好ましい。これにより、材質表示のための記号等の表示スペースの確保が困難な極めて小さなプラスチック部品に効率的に材質表示を行うことができる。
【００１２】
ここで、上記プラスチック部品の色調の調整は、プラスチック部品を構成する合成樹脂全体に着色を施してもよく、また、プラスチック部品の表面のみを塗装等により着色してよく、さらにプラスチック部品を構成する合成樹脂自体の色をそのまま利用してもよい。プラスチック部品の表面に着色する場合は、その着色はプラスチック部品の全体でもよく、その一部だけでもよい。
【００１３】
上記プラスチック部品の種類は特に限定されず、例えば、家電リサイクル法の対象機器のプラスチック部品でもよく、家電リサイクル法の対象機器以外の電気・電子機器であってもよい。より具体的には、上記プラスチック部品には、例えば、テープカートリッジの部品、テープカートリッジの収納容器等が含まれる。
【００１４】
また、本発明のプラスチック部品の材質表示方法を実効化するためには、上記プラスチック部品の色調による材質表示情報を情報媒体によって伝達することが必要である。これにより、実際にプラスチック部品を分別する際に必要となる、当該部品と材質との対応情報を消費者を含めたリサイクルの関係者に確実に伝達することができる。
【００１５】
上記材質表示情報の伝達は、取り扱い説明書又はインターネットの情報配信媒体によって行うことが好ましい。取り扱い説明書は、プラスチック部品が含まれる完成品に付随するものであり、リサイクルの際に材質表示情報がリサイクル実施者に確実に伝達できる。また、インターネットの情報配信媒体によれば、取り扱い説明書のない完成品の場合又は取り扱い説明書を紛失した場合でも、リサイクルの際に材質表示情報がリサイクル実施者に確実に伝達できる。
【００１６】
上記情報媒体には、上記材質表示情報とともに、上記プラスチック部品から構成される完成品の分解図を表示することが好ましい。これにより、視覚的に材質表示情報を示すことができるため、リサイクルの際の当該部品の分別を効率的に行うことができる。
【００１７】
また、本発明のテープカートリッジは、１００ｇ未満のプラスチック部品を含むテープカートリッジであって、上記プラスチック部品は、その色調によりその材質を表示していることを特徴とする。本発明のテープカートリッジは、本発明のプラスチック部品の材質表示方法をテープカートリッジに適用したものであり、これによりテープカートリッジのプラスチック部品を材質毎に効率的に分別できる。
【００１８】
上記プラスチック部品は、前述と同様の理由から、２０ｇ以下であることが好ましく、１ｇ以下であることが特に好ましい。
【実施例】
【００１９】
次に、実施例に基づき本発明をより具体的に説明する。本実施例では、コンピュータデータのバックアップ用の磁気テープを収納した磁気テープカートリッジの部品及びその磁気テープカートリッジを収納するケースを用いて説明する。
【００２０】
図１は、磁気テープカートリッジの分解斜視図であり、図２は、磁気テープカートリッジを収納するケースの外観斜視図である。図１において、磁気テープカートリッジは、シェル上１、板バネ上２、リールバネ３、リールロック４、ボール５、ロック解除具６、上フランジ７、下フランジ付きハブ８、インサート金具９、ドアバネ１０、ライトプロテクト１１、ドア１２、シェル下１３、カートリッジメモリー１４、ネジ１５、板バネ１６、クランプ１７及びリーダピン１８から構成されている。図１では、磁気テープを取り外した後の分解図を示している。また、図２に示すケース２０は、図１に示した磁気テープカートリッジを収納できるように開閉自在に構成されている。
【００２１】
上記磁気テープカートリッジ及び上記ケースについて本発明を適用する場合、１００ｇ未満のプラスチック部品としては、シェル上１、シェル下１３（以下、シェル上及びシェル下を合わせて「本体」ともいう。）、上フランジ７、下フランジ付きハブ８、クランプ１７、リールロック４、ライトプロテクト１１、ドア１２、ロック解除具６及びケース２０が該当する。本実施例では、本体（シェル上１、シェル下１３）、上フランジ７、下フランジ付きハブ８、クランプ１７をポリカーボネート（ＰＣ）で形成し、その色調をブラックとした。また、リールロック４、ライトプロテクト１１、ドア１２をポリアセタール（ＰＯＭ）で形成し、その色調をオレンジとした。さらに、ロック解除具６をポリブチレンテレフタレート（ＰＢＴ）で形成し、その色調をグレーとし、ケース２０はポリプロピレン（ＰＰ）で形成し、その色調は透明（ナチュラル）とした。本実施例では、プラスチック部品の色調の調整は、透明なＰＰを用いた場合を除き、プラスチック部品を構成する合成樹脂全体に着色することにより行った。
【００２２】
表１に、それぞれのプラスチック部品の材質、質量、色調及び金型彫刻の可否について示す。
【００２３】
【表１】
2010036460.tif 000003
【００２４】
表１に示すように、本実施例では９種類のプラスチック部品を使用しており、材質の種類としては４種類となっている。この４種類の材質をＰＣ：ブラック、ＰＯＭ：オレンジ、ＰＢＴ：グレー、ＰＰ：ナチュラル（透明）と色調による区別を行った。これにより、１００ｇ未満のプラスチック部品の材質表示が可能となり、小型のプラスチック部品のリサイクルの促進を図ることができる。また、金型彫刻による材質表示は可能であるが、金型彫刻による材質表示ではその視認性が低下する２０ｇ以下のプラスチック部品については、色調による材質表示が好ましい。特に、金型彫刻による材質表示か不可能な１ｇ以下のプラスチック部品については色調による材質表示が必須となる。
【００２５】
また、本実施例では、上記プラスチック部品の色調による材質表示情報を、製品の取り扱い説明書又はインターネットの製品説明サイトに表示する。合わせて、上記取り扱い説明書又はインターネットの上記サイトに図１及び図２を表示する。これらにより、リサイクル実施者に材質情報を確実に伝達でき、リサイクルの際にプラスチック部品の分別を効率的に行うことができる。
【００２６】
本実施例において、シェル上１及びシェル下１３のような外観部品の場合、デザイン上の理由から、特定の材質表示を示す色調に合わすことができない場合があるが、その場合は、本発明の材質表示方法にこだわらず、従来の刻印や金型彫刻による材質表示を併用すればよい。例えば、上記本体と上記ドアとの色調を同色としたい場合等は、一方又は両方の部品に刻印や金型彫刻による材質表示を行えばよい。
【産業上の利用可能性】
【００２７】
本発明により、１００ｇ未満のプラスチック部品の材質表示が可能となり、小型のプラスチック部品のリサイクルの促進を図ることができる。
【図面の簡単な説明】
【００２８】
【図１】実施例に用いた磁気テープカートリッジの分解斜視図である。
【図２】図１の磁気テープカートリッジを収納するケースの外観斜視図である。
【符号の説明】
【００２９】
１  シェル上
２  板バネ上
３  リールバネ
４  リールロック
５  ボール
６  ロック解除具
７  上フランジ
８  下フランジ付きハブ
９  インサート金具
１０  ドアバネ
１１  ライトプロテクト
１２  ドア
１３  シェル下
１４  カートリッジメモリー
１５  ネジ
１６  板バネ
１７  クランプ
１８  リーダピン
２０  ケース
【図１】
2010036460.tif 000004
【図２】
2010036460.tif 000005